(57)【要約】【課題】  デスクワーク時に体にかかる負担を軽減することができる上半身用衣類を提供する。【解決手段】  本発明の上半身用衣類は、身頃部１０１と、一対の袖部１０２とを含む上半身用衣類であって、さらに、姿勢サポートライン部１０３を含み、姿勢サポートライン部１０３は、第１のサポートライン部１０３Ａと、第２のサポートライン部１０３Ｃとを含み、第１のサポートライン部１０３Ａは、一対の袖部１０２から、身頃部１０１の背面側の着用時における肩甲骨の位置を通り背中心付近に至る左右対称に配置された２本のライン部を含み、第２のサポートライン部１０３Ｃは、身頃部１０１の背面側の背中心付近から前面側にかけて、着用時における胸郭下部に沿う位置に左右対称に配置された２本のライン部を含み、姿勢サポートライン部１０３は、前記衣類における姿勢サポートライン部１０３以外の部分よりも、緊締力及び着用時における肌との間の摩擦抵抗力の少なくとも一方が大きいことを特徴とする。【選択図】  図１
2014198912.tif 000002
【特許請求の範囲】
【請求項１】
身頃部と、一対の袖部とを含む上半身用衣類であって、
さらに、姿勢サポートライン部を含み、
前記姿勢サポートライン部は、第１のサポートライン部と、第２のサポートライン部とを含み、
前記第１のサポートライン部は、前記一対の袖部から、前記身頃部の背面側の着用時における肩甲骨の位置を通り背中心付近に至る左右対称に配置された２本のライン部を含み、
前記第２のサポートライン部は、前記身頃部の背面側の背中心付近から前面側にかけて、着用時における胸郭下部に沿う位置に左右対称に配置された２本のライン部を含み、
前記サポートライン部は、前記衣類における前記サポートライン部以外の部分よりも、緊締力及び着用時における肌との間の摩擦抵抗力の少なくとも一方が大きいことを特徴とする上半身用衣類。
【請求項２】
前記姿勢サポートライン部は、さらに、第３のサポートライン部を含み、
前記第３のサポートライン部は、前記身頃部の背面側において着用時における僧帽筋の少なくとも一部を覆う位置に左右対称に配置された２本のライン部を含むことを特徴とする請求項１記載の上半身用衣類。
【請求項３】
前記第１のサポートライン部は、前記袖部において、三角筋相当部を通るように配置されていることを特徴とする請求項１または２記載の上半身用衣類。
【請求項４】
前記第１のサポートライン部は、前記背中心付近において、第７胸椎から第９胸椎のいずれかの近傍を通るように配置されていることを特徴とする請求項１から３のいずれか一項に記載の上半身用衣類。
【請求項５】
前記第３のサポートライン部は、前記身頃部の背面側において、左右の僧帽筋の一部を覆う上下方向の領域にそれぞれ配置され、
前記左右の第３のサポートライン部の上部は、互いに連結されていることを特徴とする請求項２から４のいずれか一項に記載の上半身用衣類。
【請求項６】
前記第１のサポートライン部の上部に前記第３のサポートライン部が連結され、
前記第１のサポートライン部と前記第２のサポートライン部とが、前記背中心付近において互いに連結していることを特徴とする請求項２から５のいずれか一項に記載の上半身用衣類。
【請求項７】
前記衣類が半袖シャツであることを特徴とする請求項１から６のいずれか一項に記載の上半身用衣類。
【請求項８】
身頃部を含む上半身用衣類であって、
さらに、姿勢サポートライン部を含み、
前記姿勢サポートライン部は、第１のサポートライン部と、第２のサポートライン部とを含み、
前記第１のサポートライン部は、腕部から、前記身頃部の背面側の着用時における肩甲骨の位置を通り背中心付近に至る左右対称に配置された２本のライン部を含み、
前記第２のサポートライン部は、前記身頃部の背面側の背中心付近から前面側にかけて、着用時における胸郭下部に沿う位置に左右対称に配置された２本のライン部を含み、
前記サポートライン部は、前記衣類における前記サポートライン部以外の部分よりも、緊締力及び着用時における肌との間の摩擦抵抗力の少なくとも一方が大きいことを特徴とする上半身用衣類。
【請求項９】
前記姿勢サポートライン部は、さらに、第３のサポートライン部を含み、
前記第３のサポートライン部は、前記身頃部の背面側において着用時における僧帽筋の少なくとも一部を覆う位置に左右対称に配置された２本のライン部を含むことを特徴とする請求項８記載の上半身用衣類。
【請求項１０】
前記第１のサポートライン部は、前記腕部において、三角筋の位置を通ることを特徴とする請求項８または９記載の上半身用衣類。
【発明の詳細な説明】
【技術分野】
【０００１】
本発明は、上半身用衣類に関する。
【背景技術】
【０００２】
従来から、姿勢矯正用又はスポーツ用として、緊締力が強いライン部を有する衣類がある。例えば、特許文献１では、肩及び上肢部を保護するために、強緊締力部を衣類の背中部分にＸ字状に配置するとともに、袖ぐりを跨いで強緊締力部が配置されている衣類が提案されている。また、特許文献２では、姿勢を矯正するために、他の部位よりも緊締力の強い二本の帯状の張力部が、後面において略平行に左右方向に延びて設けられ、左右両側が前面側に回り込むとともに前面側で袖くりに沿ってカーブし、前記張力部の右側端部及び左側端部は、前面において前記張力部の右側端部及び左側端部に対してそれぞれ連続している衣類が提案されている。
【先行技術文献】
【特許文献】
【０００３】
【特許文献１】特許第３１１５８１６号公報
【特許文献２】特開２００６−３２０６４０号公報
【発明の概要】
【発明が解決しようとする課題】
【０００４】
しかし、前記特許文献１の衣類及び前記特許文献２の衣類は、デスクワーク時の姿勢に対応した構成になっておらず、デスクワーク時に体にかかる負担を軽減することができなかった。
【０００５】
そこで、本発明は、デスクワーク時に体にかかる負担を軽減することができる上半身用衣類を提供することを目的とする。
【課題を解決するための手段】
【０００６】
前記目的を達成するために、本発明の上半身用衣類は、
身頃部と、一対の袖部とを含む上半身用衣類であって、
さらに、姿勢サポートライン部を含み、
前記姿勢サポートライン部は、第１のサポートライン部と、第２のサポートライン部とを含み、
前記第１のサポートライン部は、前記一対の袖部から、前記身頃部の背面側の着用時における肩甲骨の位置を通り背中心付近に至る左右対称に配置された２本のライン部を含み、
前記第２のサポートライン部は、前記身頃部の背面側の背中心付近から前面側にかけて、着用時における胸郭下部に沿う位置に左右対称に配置された２本のライン部を含み、
前記サポートライン部は、前記衣類における前記サポートライン部以外の部分よりも、緊締力及び着用時における肌との間の摩擦抵抗力の少なくとも一方が大きいことを特徴とする。
【０００７】
また、本発明の上半身用衣類は、
身頃部を含む上半身用衣類であって、
さらに、姿勢サポートライン部を含み、
前記姿勢サポートライン部は、第１のサポートライン部と、第２のサポートライン部とを含み、
前記第１のサポートライン部は、腕部から、前記身頃部の背面側の着用時における肩甲骨の位置を通り背中心付近に至る左右対称に配置された２本のライン部を含み、
前記第２のサポートライン部は、前記身頃部の背面側の背中心付近から前面側にかけて、着用時における胸郭下部に沿う位置に左右対称に配置された２本のライン部を含み、
前記サポートライン部は、前記衣類における前記サポートライン部以外の部分よりも、緊締力及び着用時における肌との間の摩擦抵抗力の少なくとも一方が大きいことを特徴とする。
【発明の効果】
【０００８】
本発明の上半身用衣類は、前記のような構成であるため、デスクワーク時に体にかかる負担を軽減することができる。
【図面の簡単な説明】
【０００９】
【図１】図１は、本発明の第１の実施形態に係る半袖シャツ１００を示す図である。図１（ａ）は、半袖シャツ１００の背面図であり、図１（ｂ）は、半袖シャツ１００の着用状態の正面斜視図であり、図１（ｃ）は、半袖シャツ１００の着用状態の背面斜視図である。
【図２】図２は、人体を背面側から見た筋肉の一部の模式図である。
【図３】図３は、人体を背面側から見た骨格の一部の模式図に、前記第１の実施形態に係る半袖シャツ１００の第１のサポートライン部を当てはめた図である。
【図４】図４（ａ）は、人体を背面側から見た骨格の一部の模式図であり、図４（ｂ）は、人体を側面方向から見た骨格の一部の模式図である。
【図５】図５（ａ）〜（ｃ）は、前記第１の実施形態に係る半袖シャツ１００における、第３のサポートライン部のバリエーションの図である。
【図６】図６は、前記第１の実施形態に係る半袖シャツ１００における、第２のサポートライン部の配置を説明する図である。
【図７】図７は、前記第１の実施形態に係る半袖シャツ１００の変形例を示す図である。
【図８】図８は、本発明の第２の実施形態に係る半袖シャツ２００を示す図である。図８（ａ）は、半袖シャツ２００の背面図であり、図８（ｂ）は、半袖シャツ２００の着用状態の正面斜視図である。
【図９】図９は、本発明の第３の実施形態に係る半袖シャツ３００を示す背面図である。
【図１０】図１０は、本発明の第４の実施形態に係る半袖シャツ４００を示す図である。図１０（ａ）は、半袖シャツ４００の背面図であり、図１４（ｂ）は、半袖シャツ４００の着用状態の正面斜視図である。
【図１１】図１１は、本発明の第５の実施形態に係る半袖シャツ５００を示す図である。図１１（ａ）は、半袖シャツ５００の背面図であり、図１１（ｂ）は、半袖シャツ５００の着用状態の正面斜視図である。
【図１２】図１２は、本発明の第６の実施形態に係る半袖シャツ６００を示す背面図である。
【図１３】図１３は、本発明の第７の実施形態に係る半袖シャツ７００を示す背面図である。
【図１４】図１４は、本発明の第８の実施形態に係る半袖シャツ８００を示す背面図である。
【図１５】図１５は、本発明の第９の実施形態に係る半袖シャツ９００を示す図である。図１５（ａ）は、半袖シャツ９００の背面図であり、図１５（ｂ）は、半袖シャツ９００の着用状態の正面斜視図である。図１５（ｃ）は、前記第９の実施形態における第２のサポートライン部について説明するための図である。
【図１６】図１６は、本発明の第１０の実施形態に係る半袖シャツ１０００を示す背面図である。
【図１７】図１７は、本発明の第１１の実施形態に係る半袖シャツ１１００を示す背面図である。
【図１８】図１８は、本発明の第１２の実施形態に係る半袖シャツ１２００を示す背面図である。
【図１９】図１９は、本発明の第１３の実施形態に係る半袖シャツ１３００を示す背面図である。
【図２０】図２０は、本発明の第１４の実施形態に係るノースリーブシャツ１４００を示す図である。図２０（ａ）は、ノースリーブシャツ１４００の背面図であり、図２０（ｂ）は、ノースリーブシャツ１４００の着用状態の正面斜視図であり、図２０（ｃ）は、ノースリーブシャツ１４００の着用状態の背面斜視図である。
【図２１】図２１は、本発明の着用評価の結果を示すグラフである。
【図２２】図２２（ａ）及び図２２（ｂ）は、本発明の着用評価の結果を示す図である。
【図２３】図２３は、本発明の着用評価の結果を示すグラフである。
【図２４】図２４は、デスクワーク時の姿勢の特徴を説明する図である。
【発明を実施するための形態】
【００１０】
本発明の上半身用衣類について、例をあげて説明する。ただし、本発明は、以下の例に限定及び制限されない。なお、下記図１〜図２４において、同一部分には同一の符号を付している。
【００１１】
（第１の実施形態）
図１に、本発明の第１の実施形態に係る上半身用衣類１００を示す。本実施形態の上半身用衣類は、半袖シャツ（以下「シャツ」ともいう。）である。図１（ａ）は、シャツ１００の背面図であり、図１（ｂ）は、シャツ１００の着用状態の正面斜視図であり、図１（ｃ）は、シャツ１００の着用状態の背面斜視図である。図１（ａ）、（ｂ）及び（ｃ）に示すように、本実施形態のシャツ１００は、身頃部１０１と、一対の袖部１０２とを含み、さらに、姿勢サポートライン部１０３を含む。なお、本実施形態では、女性用の衣類を例に挙げて説明しているが、本発明はこれに限定されず、男性用の衣類にも適用できる。
【００１２】
本実施形態において、姿勢サポートライン部１０３は、第１のサポートライン部１０３Ａと、第２のサポートライン部１０３Ｃと、第３のサポートライン部１０３Ｂとを含む。そして、第１のサポートライン部１０３Ａは、一対の袖部１０２から、身頃部１０１の背面側の着用時における肩甲骨Ｔの位置を通り背中心Ｓ付近に至る左右対称に配置された２本のライン部１０３（Ａ−１）及び１０３（Ａ−２）を含む。また、第２のサポートライン部１０３Ｃは、身頃部１０１の背面側の背中心Ｓ付近から前面側にかけて、着用時における胸郭下部に沿う位置に左右対称に配置された２本のライン部１０３（Ｃ−１）及び１０３（Ｃ−２）を含む。また、第３のサポートライン部１０３Ｂは、身頃部１０１の背面側において着用時における僧帽筋の一部を覆う位置に左右対称に配置された２本のライン部１０３（Ｂ−１）及び１０３（Ｂ−２）を含む。ここで、「背中心」とは、身頃部の背面側における左右方向の中心線（着用時に、着用者の脊椎に沿う線）をいい、「背中心付近」とは、前記背中心に近接する部分をいう。なお、「左右」とは、前側から見た左右でも後側から見た左右でもよい。そして、本実施形態では、姿勢サポートライン部１０３は、シャツ１００における姿勢サポートライン部１０３以外の部分よりも、緊締力が大きい。
【００１３】
ここで、デスクワーク時の姿勢の特徴を説明する。「デスクワーク」とは、特に制限されないが、例えば、事務もしくは執筆等の机上でする仕事全般、または勉強等をいう。デスクワーク時には、図２４に示すように、腕を前に突き出し、頭から首にかけて前に傾けた体勢となる。これにより、前に出した腕と、傾いた首及び頭とを支える必要があるため、首及び肩から背中にかけての筋肉に負担がかかる。そして、時間が経つにつれて、筋肉への負担が大きくなる。
【００１４】
本実施形態のシャツ１００を着用すると、腕を前に出した際、第１のサポートライン部１０３Ａに、縮もうとする緊締力が生じる。そのため、図１（ｂ）における矢印Ｅ１で示すように、上腕が外旋し、腕が脇に引き寄せられる。そして、第１のサポートライン部１０３Ａは、肩甲骨の位置を通り背中心付近に至るまで配置されているため、図１（ｃ）における矢印Ｅ２で示すように、肩甲骨が互いに背中の中心部（左右方向の内側）に引き寄せられる。これにより、姿勢がよくなり、自然に胸をはった状態を保つことができる。また、首が前に傾いてくると、第３のサポートライン部１０３Ｂに緊締力が生じる。これにより、僧帽筋が第３のサポートライン部１０３Ｂによって支えられ、首が前に傾くのを防ぐことができる。図２にＸで示す筋肉が、僧帽筋である。さらに、第２のサポートライン部１０３Ｃによって、胸郭下部を支えることにより、第１のサポートライン部１０３Ａ及び第３のサポートライン部１０３Ｂによって作り出した姿勢を安定して保つことができる。なお、本実施形態では第３のサポートライン部１０３Ｂを有するが、本発明において、第３のサポートライン部は必須の構成要素ではない。第３のサポートライン部を有さない場合でも、第１のサポートライン部によって自然に胸を張った姿勢を保ち、第２のサポートライン部によってその姿勢を安定させることができるため、デスクワーク時の姿勢を改善することができる。このように、本発明によれば、デスクワーク時に特徴的に見られる姿勢を改善し、体にかかる負担を軽減できる。
【００１５】
従来の姿勢矯正用またはスポーツ用の衣類では、腕の動きを制限しないよう、肩甲骨の位置を避けて緊締力を有するライン部が配置されていた。しかし、本発明では、第１のサポートライン部は、肩甲骨の位置を通るように配置されている。本発明のように、袖部から、肩甲骨の位置を通り背中心付近にかけてライン部を配置することによって、前述のように、腕を前に出すというデスクワーク時の特徴的な動きに応じて姿勢をサポートすることができる。そのため、本発明は、デスクワーク時に体にかかる負担を軽減するにあたって特に顕著な効果を有する。また、本発明のようにサポートライン部が肩甲骨の位置を通ることによって、サポートライン部の作用を直接肩甲骨に及ぼすことができる。そのため、本発明では、第１のサポートライン部によって、効率良く肩甲骨を内側に引き寄せることができる。
【００１６】
図３に、本実施形態における第１のサポートライン部１０３Ａの配置を説明する図を示す。図３は、人体を背面側から見た骨格の一部の模式図に第１のサポートライン部１０３Ａを当てはめた図である。図３に示すように、本実施形態において、第１のサポートライン部１０３Ａは、肩甲骨Ｔにおける肩甲棘Ｔ１と下角Ｔ２との間の領域を通るように配置されている。ただし、本発明において、第１のサポートライン部１０３Ａが通る肩甲骨の位置は特に制限されず、肩甲骨を内側に引き寄せることができるように配置されていればよい。
【００１７】
本実施形態において、第１のサポートライン部１０３Ａは、図１（ｂ）に示すように、袖部１０２の前面側から配置されている。これにより、腕を前に出す姿勢となった時に、腕を前側から外旋させ、脇に寄せることができる。ただし、本発明において、第１のサポートライン部１０３Ａは、袖部１０２に配置されていればよく、第１のサポートライン部１０３Ａの袖部１０２における端点の位置は、特に制限されない。
【００１８】
本実施形態において、第１のサポートライン部１０３Ａは、袖部１０２において三角筋相当部を通るように配置されている。図２にＹで示す筋肉が、三角筋である。三角筋は、腕を前に上げる時に働く筋肉である。そのため、第１のサポートライン部１０３Ａが三角筋相当部を通ることで、第１のサポートライン部１０３Ａの緊締力を、腕を上下させる筋肉に直接及ぼすことができるため、好ましい。なお、本実施形態では、第１のサポートライン部１０３Ａは、袖部１０２の前面側の三角筋を覆う位置から形成されている例を挙げているが、本発明はこれに限定されるものではない。例えば、商品の仕様によっては、三角筋に隣接する二頭筋を覆う位置から第１のサポートライン部１０３Ａが形成されていてもよい。
【００１９】
本実施形態において、第１のサポートライン部１０３Ａは、背中心付近において第７胸椎から第９胸椎のいずれかの近傍を通るように配置されている。このように第１のサポートライン部１０３Ａを配置し、第７胸椎から第９胸椎のいずれかの近傍を支点として左右の肩甲骨を引き寄せることにより、効果的に肩甲骨を内転させ、胸を張った姿勢にすることができるため、好ましい。また、図４に、第７胸椎から第９胸椎の位置を説明する図を示す。図４（ａ）は、人体を背面側から見た骨格の一部の模式図であり、図４（ｂ）は、人体を側面方向から見た骨格の一部の模式図である。図４（ａ）及び図４（ｂ）に示すように、第７胸椎Ｌ、第８胸椎Ｍ及び第９胸椎Ｎは、脊柱のＳ字カーブの変曲点であり、上半身の重心となる位置である。そして、上記の第７胸椎から第９胸椎は、上半身の質量中心に位置しており、着座状態において前記の質量中心を支点として第１のサポートライン部１０３Ａで腕を背面側へ引くことによって、背中が丸まり難く、且つ、脇をしめることができるという利点もある。また、この位置は、運動時において、比較的身体の様々な動きの影響を受けにくい位置である。そのため、左右の第１のサポートライン部１０３Ａの連結点を第７胸椎から第９胸椎のいずれかの近傍とすることにより、第１のサポートライン部１０３Ａの位置が安定し、サポートライン部１０３Ａによって支える目的位置がずれるのを最小限に防止できる。なお、本発明において、「近傍」という用語を用いているのは、指定された位置からの多少のずれがあっても、本発明の目的が達成できる範囲においては差し支えないことを意味している。
【００２０】
本実施形態において、第１のサポートライン部１０３Ａは、袖部１０２の前面側から三角筋相当部を通り、肩甲骨の位置を通って、背中心付近の第７胸椎から第９胸椎のいずれかの近傍の位置に向けて自然なカーブを描いて形成されている。これにより、腕を前に出す動きに応じて、第１のサポートライン部１０３Ａの作用を腕及び肩甲骨に効率良く及ぼすことができるため、好ましい。
【００２１】
本実施形態において、第３のサポートライン部１０３Ｂは、身頃部１０１の背面側において左右の僧帽筋の一部を覆う上下方向の領域にそれぞれ配置されている。そして、左右の第３のサポートライン部１０３Ｂの上部は、第３のサポートライン部１０３Ｂと同じ素材で形成されたライン部１０３Ｄによって、互いに連結されている。これにより、左右の第３のサポートライン部１０３Ｂの間の間隔が着用時に広がり過ぎるのを防ぎ、第３のサポートライン部１０３Ｂの緊締力を僧帽筋に有効に作用させることができるため、好ましい。ここで、「上下」とは、着用状態における上下方向をいう。
【００２２】
本実施形態では、左右の第３のサポートライン部１０３Ｂの上部が、同じ素材で形成されたライン部１０３Ｄによって連結されているが、本発明はこれに限定されない。図５（ａ）に示すように、本発明において、左右の第３のサポートライン部は、上部が身頃部の襟ぐり１０１Ａに連結されることで互いに連結されていてもよい。また、図５（ｂ）に示すように、第３のサポートライン部１０３Ｂが逆Ｕ字状に形成されることで互いに連結されていてもよい。なお、本発明において、左右の第３のサポートライン部１０３Ｂの間の領域全体（図５（ａ）において斜線で示す領域）が緊締力を有する素材で形成されると、締め付け力が強くなるため、上部のみ連結されていることが好ましいが、本発明はこれに限られない。また、本発明において、第３のサポートライン部は、僧帽筋の少なくとも一部を覆う位置に左右対称に配置されていればよく、例えば、図５（ｃ）に示すように、第３のサポートライン部１０３Ｂの下側が分岐していてもよい。
【００２３】
なお、本実施形態では、第３のサポートライン部１０３Ｂが設けられている例を挙げているが、前述のように、本発明はこれに限定されるものではない。例えば、商品の仕様に応じて第３のサポートライン部１０３Ｂを設けないものとしてもよい。ただし、第３のサポートライン部は、主として首を支える僧帽筋をサポートするため、長時間デスクワークを行うような場合に体にかかる負担を軽減できるという利点があり、第３のサポートライン部を設ける方が好適である。
【００２４】
本発明において、第２のサポートライン部１０３Ｃは、前述のように、身頃部１０１の背面側の背中心付近から前面側にかけて、着用時における胸郭下部に沿う位置に左右対称に配置されている。具体的には、本発明において、第２のサポートライン部１０３Ｃは、肋骨の下から２本分の位置近傍に配置されていることが好ましい。このように、緊締力を有する第２のサポートライン部を、胸郭下部に沿って身頃部の背中心付近から前面側にかけて配置することで、胸郭を支えることができ、第１及び第３のサポートライン部で形成した姿勢を安定して保つことができる。
【００２５】
本実施形態では、第２のサポートライン部１０３Ｃは、身頃部１０１の前側において、図６に示すバージスラインの最下点Ｐから真下に下ろした仮想線（図中に二点鎖線で示す線）の位置まで配置されている。この位置まで第２のサポートライン部１０３Ｃを配置することにより、胸郭を支える力がバランスよく作用するため、好ましい。ただし、本発明において、身頃部の前面側における第２のサポートライン部１０３Ｃの端点は特に制限されない。例えば、第２のサポートライン部１０３Ｃは、身頃部１０１の前面側において連結していてもよい。ただし、この場合、身頃部１０１の前面側において緊締力が大きくなると、着用時に窮屈に感じるため、身頃部１０１の前面側においては、相対的に緊締力を小さくすることが好ましい。
【００２６】
本実施形態では、第１のサポートライン部１０３Ａの上部に第３のサポートライン部１０３Ｂが連結され、第１のサポートライン部１０３Ａと第２のサポートライン部１０３Ｃとが、背中心付近において互いに連結している。具体的には、本実施形態において、第１のサポートライン部１０３Ａと第２のサポートライン部１０３Ｃとは、第７胸椎から第９胸椎のいずれかの近傍の位置において連結されている。このように、第１〜第３のサポートライン部が互いに連結されていることによって、姿勢サポートライン部１０３の位置が安定し、姿勢サポートライン部１０３の作用を目的の位置に適切に及ぼすことができるため、好ましい。
【００２７】
本発明において、姿勢サポートライン部１０３の緊締力は、衣類におけるその他の部分よりも大きければよく、特に制限されないが、腕を前に出した時に発揮される程度であることが好ましい。これにより、必要以上に体が拘束されることがないため、着用感が良好になる。また、本発明において、第１〜第３のサポートライン部の間で、緊締力は同じであってもよいし、異なってもよい。ただし、第１〜第３のサポートライン部の緊締力が異なる場合は、第１のサポートライン部の作用が阻害されないように、第１のサポートライン部の緊締力が第２及び第３のサポートライン部の緊締力よりも大きいことが好ましい。
【００２８】
本実施形態において、姿勢サポートライン部１０３は、緊締力を有する素材をシャツ１００に取り付けて形成されている。本発明において、姿勢サポートライン部１０３に使用する素材は、緊締力を有する素材であれば特に制限されないが、例えば、ストレッチテープ、パワーネット、ストレッチレース、ツーウェイトリコット、ベア天竺等があげられる。また、樹脂をシャツ１００に塗布して緊締力を高めることによって姿勢サポートライン部１０３を形成してもよい。また、本発明において、姿勢サポートライン部１０３は、シャツ１００の編み組織を部分的に変更することによって形成されてもよい。その他、抜触加工によって、姿勢サポートライン部１０３に相当する部分をシャツ１００の生地に形成するようにしてもよい。
【００２９】
なお、本実施形態では、上半身用衣類を半袖シャツ１００とした例を挙げて説明しているが、本発明はこれに限定されるものではない。本発明において、前記衣類は、例えば、スーツまたは作業着といったアウターとしてもよい。この場合にも、本実施形態に係る半袖シャツ１００と同様の効果を得ることができる。
【００３０】
本発明において、姿勢サポートライン部１０３以外の身頃部及び袖部に使用できる素材は、特に制限されないが、体にフィットする素材で形成されていることが、着用時に姿勢サポートライン部の位置が予め設定された位置からずれにくくなるため好ましい。姿勢サポートライン部１０３以外の身頃部及び袖部に使用できる素材としては、例えば、経編地、または、丸編地等が挙げられる。
【００３１】
本発明において、左右対称に配置された第１のサポートライン部１０３（Ａ−１）及び１０３（Ａ−２）は、それぞれ別部材で構成され、背中心付近で互いに連結することで形成されていてもよいし、全体が一部材で構成されていてもよい。また、左右対称に配置された第２のサポートライン部１０３（Ｃ−１）及び１０３（Ｃ−２）についても、それぞれ別部材で構成され、背中心付近で互いに連結することで形成されていてもよいし、全体が一部材で構成されていてもよい。
【００３２】
本実施形態では、姿勢サポートライン部１０３が、半袖シャツ１００における姿勢サポートライン部１０３以外の部分よりも緊締力が大きい態様について説明したが、本発明はこれに限定されない。本発明において、姿勢サポートライン部１０３は、衣類における姿勢サポートライン部１０３以外の部分よりも、着用時における肌との間の摩擦抵抗力が大きくなるように形成されていてもよい。以下、本実施形態の変形例として具体的に説明する。
【００３３】
図７に、本実施形態の変形例である半袖シャツ１００´を示す。図７は、シャツ１００´の背面図である。本例では、姿勢サポートライン部１０３´が、シャツ１００´における姿勢サポートライン部１０３´以外の部分よりも、着用時における肌との間の摩擦抵抗力が大きくなるように形成されている。具体的には、姿勢サポートライン部１０３´は、着用時において、単位面積あたりの肌との間の摩擦抵抗力がシャツ１００´のその他の部分における単位面積あたりの肌との間の摩擦抵抗力よりも相対的に大きくなっている。これにより、姿勢サポートライン部１０３´の肌側には滑り止め機能が付与されている。
【００３４】
本例のシャツ１００´を着用すれば、まず、腕を前に出すと、第１のサポートライン部１０３Ａ´において肌との間に摩擦抵抗力が生じるため、腕が外旋して脇に引き寄せられ、肩甲骨が互いに背中の中心部に引き寄せられる。また、首が前に傾いてくると、第３のサポートライン部１０３Ｂ´において肌との間に摩擦抵抗力が生じ、首が前に傾くのを防ぐことができる。さらに、第２のサポートライン部１０３Ｃ´の肌側に摩擦抵抗力が生じることによって、胸郭下部が支えられ、第１のサポートライン部１０３Ａ´及び第３のサポートライン部１０３Ｂ´によって作り出した姿勢を安定して保つことができる。
【００３５】
本例において、前記摩擦抵抗力は、姿勢をサポートできる程度であればよく、特に制限されない。姿勢サポートライン部１０３´としては、例えば、樹脂プリント、または、ナノ繊維等の肌に対する摩擦抵抗が比較的大きい素材を用いてもよい。また、姿勢サポートライン部１０３´をシャツ１００´の編地の一部として形成してもよい。この場合には、シャツ１００´の編組織を姿勢サポートライン部１０３´に相当する領域だけ変更して形成してもよいし、姿勢サポートライン部１０３´に相当する領域だけ糸種を変更して形成してもよい。
【００３６】
なお、本発明において、姿勢サポートライン部は、緊締力及び着用時における肌との間の摩擦抵抗力の両方が、衣類における姿勢サポートライン部以外の部分よりも大きくなるように形成されていてもよい。
【００３７】
（着用客観評価）
［着用客観評価１］
図１に示すタイプの本発明の実施形態１に係る半袖シャツ１００を作製し、着用評価を行った。本評価では、本発明のシャツ１００を１０名のモニターが着用して５分間デスクワークを行い、各モニターについて肩（僧帽筋）の筋活動量を測定して、その平均値を求めた。また、比較例として、姿勢サポートライン部を有さない半袖シャツ（従来品のシャツ）についても、同様にして、各モニターの肩の筋活動量の平均値を求めた。なお、前記の筋活動量は、表面筋電図を用い右肩の僧帽筋上部線維筋膜上に電極を設置し計測した。
【００３８】
その結果を、図２１のグラフに示す。図２１に示すように、本発明に係るシャツ１００を着用した場合の方が、従来品のシャツを着用した場合と比較して、肩の筋活動量が小さかった。これにより、本発明によれば、肩の筋肉の負担が軽減されることがわかった。また、測定値の危険率は５％未満であり（Ｐ<０．０５）、統計的に有意な差が認められた。
【００３９】
［着用客観評価２］
図１に示すタイプの本発明の実施形態１に係る半袖シャツ１００を作製し、着用評価を行った。本評価では、本発明のシャツ１００を９名のモニターが着用して５分間デスクワークを行い、デスクワーク開始時、３分後及び５分後における脇の開き具合、肩甲骨の開き具合、首の傾き具合を目視により観察した。また、比較例として、姿勢サポートライン部を有さない半袖シャツ（従来品のシャツ）についても、同様にして、脇の開き具合、肩甲骨の開き具合、首の傾き具合を目視により観察した。
【００４０】
その結果を、図２２に示す。図２２（ａ）は、モニターのうちの１名について、本発明のシャツ１００を着用した場合の結果を示す図であり、図２２（ｂ）は、同一のモニターが従来品のシャツを着用した場合の結果を示す図である。図２２（ｂ）に示すように、従来品のシャツを着用した場合は、３分後、５分後と時間が経過するにつれて、脇が開き、肩甲骨の間も開いていった。また、首も前に傾いていった。これに対し、図２２（ａ）に示すように、本発明のシャツ１００を着用した場合は、３分後及び５分後においても、脇は開いておらず、肩甲骨の間も開いていなかった。また、首も前に傾かなかった。これと同様の結果が、モニター９名中８名において得られた。
【００４１】
（着用主観評価）
［着用主観評価１］
図１に示すタイプの本発明の実施形態１に係る半袖シャツ１００を作製し、着用評価を行った。本評価では、モニター１０名に、本発明のシャツ１００を着用して５分間デスクワークを行ってもらった。また、比較例として、同じモニター１０名に、姿勢サポートライン部を有さない半袖シャツ（従来品のシャツ）を着用して５分間デスクワークを行ってもらった。
【００４２】
その結果、１０名中８名が、本発明に係るシャツ１００の方が肩の負担が少ないと回答した。また、１０名中７名が、本発明に係るシャツ１００の方が背中の負担が少ないと回答した。そして、１０名中８名が、本発明に係るシャツ１００の方が作業に集中できると回答した。
【００４３】
また、本発明に係るシャツ１００の着用感について、モニターにコメントを求めたところ、「手を前に出してパソコンの操作をしていると楽な感じがした」、「肩、背中、腰が支えられていた」、「肩に力が入らなかった」、「肩がとても楽に動かせた」という回答が得られた。これにより、本発明のシャツは、デスクワーク時の体の負担を軽減できることが確認できた。
【００４４】
［着用主観評価２］
図１に示すタイプの本発明の実施形態１に係る半袖シャツ１００を作製し、着用評価を行った。本評価では、モニター１０名に、本発明のシャツ１００を着用して９時〜１２時及び１３時〜１８時の間デスクワークを行ってもらった。そして、１時間ごとに肩及び背中の負担感を５段階（１：負担感小〜５：負担感大）で評価してもらい、評価の平均値を求めた。また、比較例として、姿勢サポートライン部を有さない半袖シャツ（従来品のシャツ）についても、同様にして、評価の平均値を求めた。
【００４５】
その結果を、図２３のグラフに示す。図２３に示すように、従来品のシャツを着用した場合と比較して、本発明のシャツ１００を着用した場合の方が、負担感が少ないとの評価を得た。また、従来品のシャツでは、時間が経過するにつれて負担感が大きくなっているのに対し、本発明のシャツを着用した場合は、時間が経過しても負担感は大きくならなかった。
【００４６】
また、本発明に係るシャツ１００の着用感について、モニターにコメントを求めたところ、「胸が開く感じがする」、「いつもは１５時頃が負担感のピークだが、１５時ごろにおいてもかなり快適に過ごせた」、「上半身を支えてくれている感じがする」、「いつもは夕方に肩に負担感を感じるのに、今日はいつもより負担感がない」という回答が得られた。これにより、本発明のシャツは、長時間デスクワークをした場合においても、体の負担を軽減できることが確認できた。
【００４７】
（第２の実施形態）
図８に、本発明の第２の実施形態に係る上半身用衣類２００を示す。本実施形態の上半身用衣類は、半袖シャツである。図８（ａ）は、シャツ２００の背面図であり、図８（ｂ）は、シャツ２００の着用状態の正面斜視図である。本実施形態において、シャツ２００は、襟ぐりから袖下にかけて斜めの切り替えが入り、肩から袖が続いている、いわゆるラグランスリーブタイプの半袖シャツである。
【００４８】
本実施形態では、身頃部２０１及び袖部２０２が、ラグランスリーブに対応した形状になっている。本実施形態において、それ以外の、姿勢サポートライン部１０３の配置等その他の部分は、前記第１の実施形態と同様である。このように、本発明は、ラグランスリーブの衣類にも適用できる。
【００４９】
（第３の実施形態）
図９に、本発明の第３の実施形態に係る上半身用衣類３００を示す。本実施形態の上半身用衣類は、半袖シャツである。図９は、シャツ３００の背面図である。本実施形態において、シャツ３００は、袖ぐりが深くゆったりとしている半袖シャツである。
【００５０】
本実施形態では、身頃部３０１及び袖部３０２が、袖ぐり部分にゆとりのある形状になっている。また、図９に示すように、本実施形態では、姿勢サポートライン部３０３において、第１のサポートライン部３０３Ａの肩甲骨の位置から袖部３０２にかけての幅が、前記第１の実施形態と比較して広くなっている。本実施形態において、その他は、前記第１の実施形態と同様である。
【００５１】
本実施形態では、腕を前に突き出して袖部３０２の生地が突っ張った状態になると、第１のサポートライン部３０３Ａに緊締力が生じ、腕が脇側に引き寄せられる。本実施形態の場合、袖部にゆとりがあり、着用者の腕にフィットしていないため、本実施形態のように袖部３０２における第１のサポートライン部３０３Ａの幅を広くすることで、適切に第１のサポートライン部の力を及ぼすことができる。このように、本発明は、例えばドルマンスリーブのような、袖ぐりが深くゆったりとしている衣類にも適用できる。
【００５２】
（第４の実施形態）
図１０に、本発明の第４の実施形態に係る上半身用衣類４００を示す。本実施形態の上半身用衣類は、半袖シャツである。図１０（ａ）は、シャツ４００の背面図であり、図１０（ｂ）は、シャツ４００の着用状態の正面斜視図である。
【００５３】
図１０（ａ）に示すように、本実施形態において、姿勢サポートライン部４０３の第１のサポートライン部４０３Ａは、肩甲骨上部の位置を通っており、前記第１の実施形態における第１のサポートライン部１０３Ａと比較してカーブが大きくなっている。また、図１０（ａ）および図１０（ｂ）に示すように、第１のサポートライン部４０３Ａは、袖部において、上腕部下部を通っている。本実施形態において、その他は、前記第１の実施形態と同様である。このように、本発明は、姿勢サポートライン部の配置を適宜調整し、緊締力または摩擦抵抗力の及び方を調節することができる。
【００５４】
（第５の実施形態）
図１１に、本発明の第５の実施形態に係る上半身用衣類５００を示す。本実施形態の上半身用衣類は、半袖シャツである。図１１（ａ）は、シャツ５００の背面図であり、図１１（ｂ）は、シャツ５００の着用状態の正面斜視図である。
【００５５】
図１１（ａ）および図１１（ｂ）に示すように、本実施形態において、シャツ５００は、姿勢サポートライン部５０３のうち第１のサポートライン部５０３Ａおよび第２のサポートライン部５０３Ｃが、前面側端部に向かうにつれて幅が太くなるように形成されている。本実施形態において、その他は、前記第１の実施形態と同様である。本実施形態は、例えば、身頃部１０１が伸びやすい生地で形成されている場合に、姿勢サポートライン部５０３の緊締力または摩擦抵抗力を強める態様として好適に用いることができる。
【００５６】
（第６の実施形態）
図１２に、本発明の第６の実施形態に係る上半身用衣類６００の背面図を示す。本実施形態の上半身用衣類は、半袖シャツである。図１２に示すように、本実施形態では、第１のサポートライン部６０３Ａ、第２のサポートライン部６０３Ｃおよび第３のサポートライン部６０３Ｂが、身頃部１０１および袖部１０２に樹脂を塗布することによって形成されている。本実施形態では、前記第１〜第３のサポートライン部（姿勢サポートライン部６０３）は、図示のように、身頃部１０１および袖部１０２の肌側と反対側にドット状の樹脂プリントを塗布して形成されている。なお、本実施形態では、ライン部６０３Ｄにも同様の樹脂プリントが塗布されている。本実施形態において、その他は、前記第１の実施形態と同様である。このように、本発明において、姿勢サポートライン部は、樹脂を塗布することで形成されていてもよい。なお、樹脂プリントを身頃部および袖部の肌側に塗布すると、姿勢サポートライン部における摩擦抵抗力をシャツにおけるその他の部分よりも大きくすることができる。
【００５７】
（第７の実施形態）
図１３に、本発明の第７の実施形態に係る上半身用衣類７００の背面図を示す。本実施形態の上半身用衣類は、半袖シャツである。図１３に示すように、本実施形態では、第１のサポートライン部７０３Ａ、第２のサポートライン部７０３Ｃおよび第３のサポートライン部７０３Ｂ（姿勢サポートライン部７０３）において、サポート部αが一定の間隔をあけて断続的に並ぶように配置されている。このように、本発明において、第１〜第３のサポートライン部は、サポート部が断続的に並ぶようにして形成されていてもよい。本実施形態において、サポート部αは、例えば、樹脂プリントを塗布したり、当て布を取り付けたり、身頃部１０１および袖部１０２の生地の編み組織を部分的に変更したりして、形成することができる。なお、本実施形態では、ライン部７０３Ｄも、第１〜第３のサポートライン部と同様にして形成されている。
【００５８】
（第８の実施形態）
図１４に、本発明の第８の実施形態に係る上半身用衣類８００の背面図を示す。本実施形態の上半身用衣類は半袖シャツであり、シャツ８００は、首を覆う筒状の襟部８０４を有するタートルネックタイプのシャツである。
【００５９】
本実施形態では、左右の第３のサポートライン部１０３Ｂの上部は、襟部８０４に連結されている。そして、襟部８０４は、身頃部１０１よりも低伸縮の素材で形成されている。これにより、左右の第３のサポートライン部１０３Ｂの間の間隔が着用時に広がり過ぎるのを防ぐことができる。本実施形態において、その他は、前記第１の実施形態と同様である。このように、本発明は、タートルネックタイプの衣類にも適用できる。
【００６０】
本実施形態において、襟部８０４に使用する素材は、身頃部１０１よりも低伸縮の素材であれば特に制限されないが、例えば、丸編地、経編地、織物等があげられる。
【００６１】
（第９の実施形態）
図１５に、本発明の第９の実施形態に係る上半身用衣類９００を示す。本実施形態の上半身用衣類は、半袖シャツである。図１５（ａ）は、シャツ９００の背面図であり、図１５（ｂ）は、シャツ９００の着用状態の正面斜視図である。
【００６２】
図１５（ａ）に示すように、本実施形態では、身頃部１０１の背面側の下側部分全体が、第２のサポートライン部９０３Ｃとなっている。具体的には、身頃部１０１の背面側において、前記第１の実施形態における第２のサポートライン部１０３Ｃ、および、第２のサポートライン部１０３Ｃよりも下側部分を含む部分が、本実施形態の第２のサポートライン部９０３Ｃとなっている。なお、本実施形態において、シャツ９００の前面側は、図１５（ｂ）に示すように、前記第１の実施形態と同様である。このように、衣類の背面側において、姿勢サポートライン部９０３の第２のサポートライン部９０３Ｃを広く設けることで、姿勢をより安定させることができる。
【００６３】
本実施形態における第２のサポートライン部９０３Ｃは、全体が同程度の緊締力を有するように形成されていてもよいが、前記第１の実施形態における第２のサポートライン部１０３Ｃに該当する部分よりも下側部分（図１５（ｃ）中に斜線で示す部分）については、緊締力を弱く設定して、着用時の締め付け力を調整するようにしてもよい。
【００６４】
（第１０の実施形態）
図１６に、本発明の第１０の実施形態に係る上半身用衣類１０００の背面図を示す。本実施形態の上半身用衣類は、半袖シャツである。本実施形態では、左右の第３のサポートライン部１０３Ｂの間の領域全体（図１６において斜線で示す領域Ｒ）が、第１〜第３のサポートライン部と同様に緊締力を有する素材で形成されている。本実施形態において、その他は、前記第１の実施形態と同様である。
【００６５】
前述のように、左右の第３のサポートライン部１０３Ｂの間の領域全体が緊締力を有する素材で形成されると、締め付け力が強くなるが、実現したい着用感に応じて、本実施形態のように形成してもよい。なお、領域Ｒについては、第１〜第３のサポートライン部よりも緊締力を弱く設定して、着用時の締め付け感を調整してもよい。
【００６６】
（第１１の実施形態）
図１７に、本発明の第１１の実施形態に係る上半身用衣類１１００の背面図を示す。本実施形態の上半身用衣類は、半袖シャツである。本実施形態では、姿勢サポートライン部１１０３の第１のサポートライン部１１０３Ａの肩部分の幅が、前記第１の実施形態よりも太く形成されている。本実施形態において、その他は、前記第１の実施形態と同様である。このように、本発明において、姿勢サポートライン部の幅は、実現したい緊締力または摩擦抵抗力の強さ等に応じて、適宜設定することができる。
【００６７】
（第１２の実施形態）
図１８に、本発明の第１２の実施形態に係る上半身用衣類１２００の背面図を示す。本実施形態の上半身用衣類は、半袖シャツである。本実施形態では、姿勢サポートライン部１２０３の第３のサポートライン部１２０３Ｂが、上下方向にほぼ真っ直ぐに形成されている。そして、第３のサポートライン部１２０３Ｂの上部は、身頃部１０１の襟ぐり１０１Ａに連結されている。本実施形態において、その他は、前記第１の実施形態と同様である。このように、本発明では、デザイン等に応じて姿勢サポートライン部の位置を適宜調整することができる。
【００６８】
（第１３の実施形態）
図１９に、本発明の第１３の実施形態に係る上半身用衣類１３００の背面図を示す。本実施形態の上半身用衣類は、半袖シャツである。本実施形態では、身頃部１０１の背面側に、第２のサポートライン部１０３Ｃの下側から背中心付近に沿って下方向にのびるライン部１３０５を含む。本実施形態において、ライン部１３０５は、第１〜第３のサポートライン部と同じ構成で形成されている。本実施形態において、その他は、前記第１の実施形態と同様である。このようなライン部１３０５を有することにより、背筋がライン部１３０５によって支えられるので、体幹部が安定しやすくなる。そのため、本実施形態によれば、姿勢サポートライン部によって形成されたデスクワーク時の姿勢をより安定保持することができる。
【００６９】
（第１４の実施形態）
図２０に、本発明の第１４の実施形態に係る上半身用衣類１４００を示す。本実施形態の上半身用衣類は、ノースリーブタイプのシャツ（以下「ノースリーブシャツ」ともいう。）である。図２０（ａ）は、ノースリーブシャツ１４００の背面図であり、図２０（ｂ）は、ノースリーブシャツ１４００の着用状態の正面斜視図であり、図２０（ｃ）は、ノースリーブシャツ１４００の着用状態の背面斜視図である。図２０（ａ）、（ｂ）及び（ｃ）に示すように、本実施形態のノースリーブシャツ１４００は、身頃部１４０１を含み、さらに、姿勢サポートライン部１４０３を含む。
【００７０】
本実施形態において、姿勢サポートライン部１４０３は、第１のサポートライン部１４０３Ａと、第２のサポートライン部１４０３Ｃと、第３のサポートライン部１４０３Ｂとを含む。そして、第１のサポートライン部１４０３Ａは、腕部から、身頃部１４０１の背面側の着用時における肩甲骨Ｔの位置を通り背中心Ｓ付近に至る左右対称に配置された２本のライン部１４０３（Ａ−１）及び１４０３（Ａ−２）を含む。また、第２のサポートライン部１４０３Ｃは、身頃部１４０１の背面側の背中心Ｓ付近から前面側にかけて、着用時における胸郭下部に沿う位置に左右対称に配置された２本のライン部１４０３（Ｃ−１）及び１４０３（Ｃ−２）を含む。また、第３のサポートライン部１４０３Ｂは、身頃部１４０１の背面側において着用時における僧帽筋の一部を覆う位置に左右対称に配置された２本のライン部１４０３（Ｂ−１）及び１４０３（Ｂ−２）を含む。そして、本実施形態では、左右の第３のサポートライン部１４０３Ｂの上部は、第３のサポートライン部１４０３Ｂと同じ素材で形成されたライン部１４０３Ｄによって、互いに連結されている。また、本実施形態において、第１のサポートライン部１４０３Ａは、着用者の腕部の三角筋の位置を通っている。
【００７１】
本実施形態のノースリーブシャツ１４００は、袖部を有さないため、第１のサポートライン部１４０３Ａが直接着用者の腕部にかかるように設けられている。そして、図２０（ｂ）に示すように、第１のサポートライン部１４０３Ａの前面側端部は、身頃部１４０１の前面側に連結されている。本実施形態において、姿勢サポートライン部１４０３は、緊締力を有する素材をノースリーブシャツ１４００に取り付けて形成されているが、本発明はこれに限られず、姿勢サポートライン部１４０３のうち身頃部１４０１に含まれている部分については、樹脂を身頃部に塗布したり、身頃部の編み組織を部分的に変更したりして形成されていてもよいし、抜触加工によって形成されていてもよい。また、姿勢サポートライン部１４０３は、ノースリーブシャツ１４００におけるその他の部分よりも、肌との間の摩擦抵抗力が大きくなるように形成されていてもよい。本実施形態において、その他は、前記第１の実施形態と同様である。
【００７２】
このように、本発明は、ノースリーブタイプのシャツにも適用できる。なお、本実施形態では、第１の実施形態の構成をノースリーブシャツに適用した場合について説明したが、本発明はこれに限られず、その他の実施形態の構成をノースリーブシャツに適用することもできる。
【００７３】
以上、本発明の具体例として、半袖シャツおよびノースリーブシャツをあげて本発明を説明したが、本発明は、これらの具体例で記載されたもののみに限定されず、種々の態様が可能である。例えば、上記の実施形態のような衣類以外にも、例えば、長袖シャツ、肌着等、その他各種の衣類に適用できる。
【産業上の利用可能性】
【００７４】
本発明の上半身用衣類は、デスクワーク時に体にかかる負担を軽減することができ、その用途は限定されず広い分野で使用することができる。
【符号の説明】
【００７５】
１００、１００´、２００、３００、４００、５００、６００、７００、８００、９００、１０００、１１００、１２００、１３００  上半身用衣類（半袖シャツ）
１４００  上半身用衣類（ノースリーブシャツ）
１０１、２０１、３０１、１４０１  身頃部
１０２、２０２、３０２  袖部
１０３、１０３´、２０３、３０３、４０３、５０３、６０３、７０３、９０３、１１０３、１２０３、１４０３  姿勢サポートライン部
１０３Ａ、１０３Ａ´３０３Ａ、４０３Ａ、５０３Ａ、６０３Ａ、７０３Ａ、１１０３Ａ、１４０３Ａ  第１のサポートライン部
１０３Ｂ、１０３Ｂ´、６０３Ｂ、７０３Ｂ、１２０３Ｂ、１４０３Ｂ  第３のサポートライン部
１０３Ｃ、１０３Ｃ´、５０３Ｃ、６０３Ｃ、７０３Ｃ、９０３Ｃ、１４０３Ｃ  第２のサポートライン部
８０４  襟部
Ｓ  背中心
Ｔ  肩甲骨
Ｔ１  肩甲棘
Ｔ２  下角
Ｌ  第７胸椎
Ｍ  第８胸椎
Ｎ  第９胸椎
Ｘ  僧帽筋
Ｙ  三角筋
Ｐ  バージスラインの最下点
【図１】
2014198912.tif 000003
【図２】
2014198912.tif 000004
【図３】
2014198912.tif 000005
【図４】
2014198912.tif 000006
【図５】
2014198912.tif 000007
【図６】
2014198912.tif 000008
【図７】
2014198912.tif 000009
【図８】
2014198912.tif 000010
【図９】
2014198912.tif 000011
【図１０】
2014198912.tif 000012
【図１１】
2014198912.tif 000013
【図１２】
2014198912.tif 000014
【図１３】
2014198912.tif 000015
【図１４】
2014198912.tif 000016
【図１５】
2014198912.tif 000017
【図１６】
2014198912.tif 000018
【図１７】
2014198912.tif 000019
【図１８】
2014198912.tif 000020
【図１９】
2014198912.tif 000021
【図２０】
2014198912.tif 000022
【図２１】
2014198912.tif 000023
【図２２】
2014198912.tif 000024
【図２３】
2014198912.tif 000025
【図２４】
2014198912.tif 000026